(57)【要約】【課題】  おりの開口部を開閉する開閉戸が、動物捕獲後におり本体が横転しても開放が防止される動物の捕獲用おりの開閉戸構造を提供すること。【解決手段】  開閉戸４５が開口部２の両側に着脱自在に立設された案内筒４１に下端が外嵌され上端が内嵌される摺動子４４によって上下摺動自在に案内され、開口部２の中央上方に立設される支柱５８には、下端の二股部６２で開閉戸４５の下降端での上端部材を係止するロック金具６１を幅方向に平行な水平軸で垂下反転自在に軸支し、ロック金具６１を固定手段を支柱下方に設け、支柱上方に開閉戸４５の上昇端での上端部材を吊下する吊下手段を設ける。【選択図】図１
2005204674.tif 000002
【特許請求の範囲】
【請求項１】
前後方向に長尺な直方体状のおり本体の開口部で、内部に収めた誘導餌台と連動して閉塞される開閉戸を設けた動物の捕獲用おりの開閉戸構造において、
開閉戸が、前記開口部の両側に着脱自在に立設された案内筒に下端が外嵌され上端が内嵌される摺動子によって上下摺動自在に案内され、開口部の中央上方に立設される支柱には、下端の二股部で開閉戸の下降端での上端部材を係止するロック金具を幅方向に平行な水平軸で垂下反転自在に軸支し、該ロック金具を固定する固定手段を支柱下方に設けるとともに、支柱上方には開閉戸の上昇端での上端部材を吊下する吊下手段を設けて成る動物の捕獲用おりの開閉戸構造。
【発明の詳細な説明】
【発明の詳細な説明】
【技術分野】
【０００１】  本発明は、動物捕獲の分野に属し、主として熊を捕獲するためのおりの開閉戸構造に関する。
【背景技術】
【０００２】  特開２００１−２７５５４５号公報の先行技術に提案されているおりの落下式扉は、該扉を上下に案内する案内部材が、おり本体の上枠体の上方へ長尺に立設されていると、横転時に外力を受けて変形したり、横転によって扉の閉塞状態が不完全になるおそれがある。
【発明が解決しようとする課題】
【０００３】  本発明は上記に鑑みて、おりの開口部を開閉する開閉戸が、動物捕獲後におり本体が横転しても開放が防止されるようにしようとする。
【課題を解決するための手段】
【０００４】  本発明の動物の捕獲用おりの開閉戸構造は、前後方向に長尺な直方体状のおり本体の開口部で、内部に収めた誘導餌台と連動して閉塞される開閉戸を設けた動物の捕獲用おりの開閉戸構造において、
開閉戸が前記開口部の両側に着脱自在に立設された案内筒に下端が外嵌され上端が内嵌される摺動子によって上下摺動自在に案内され、開口部の中央上方に立設される支柱には、下端の二股部で開閉戸の下降端での上端部材を係止するロック金具を幅方向に平行な水平軸で垂下反転自在に軸支し、該ロック金具を固定する固定手段を支柱下方に設けるとともに、支柱上方には開閉戸の上昇端での上端部材を吊下する吊下手段を設けて成る。
【発明を実施するための最良の形態】
【０００５】  落下式の開閉戸を上下摺動自在に案内する案内筒と摺動子との関係においては、該摺動子が中実棒のものから中空管などが選択される。
【実施例】
【０００６】  本発明の垂直落下式の動物の捕獲用おりの開閉戸構造ａ（以下、単に開閉戸構造ａとする。）を実施例により説明すると、図１に示すように、前後方向に長尺な直方体状のおり本体１の前部に設けられた開口部２には、おり本体１の背丈より僅かに高い矩形枠３が接合され、矩形枠３の両内側には上部を開口部２の上端に位置した上下二段の支持板４０を横設し、支持板４０に貫設した挿通孔にはパイプから成る案内筒４１を着脱自在に遊嵌し、両案内筒４１の下端を矩形枠３の下方内面に着座させるとともに、上端を案内筒４１の内径とほぼ同径の案内孔が貫設され、図２に示すように、矩形枠３の外側に固定された押え金４２で位置決めし、両案内筒４１にそれぞれ押え金４２の案内孔から挿入され、背丈が案内筒４１の背丈より所要高さ分高く、頂部に該案内孔より大径の吊下座４３を接合した丸棒（丸パイプでもよい。）からなる摺動子４４が摺動自在に案内され、両案内筒４１、４１間で開口部２を閉塞する開閉戸４５は下枠４６と上枠４７が所要ピッチで多数縦設する鉄棒４８で接合され、鉄棒４８の上下２個所が横梁４９で接合され、下枠４６は図３に示すように、その左右に形成したリング部５０を左右の案内筒４１に外嵌し、上枠４７はその左右に張り出した案内座５１に貫設した案内孔に前記摺動子４４を内嵌し、各案内座５１の案内孔の近傍には横向きコ字状の受け座５２が立設され、各受け座５２には水平の取付け座５３と、取付け座５３の外端から垂直に上方へ所要高さで折曲した垂直部５４と、垂直部５４の上端から外方へ直角に張り出し状に折曲した抜け止め部５５とから成る抜け止め金具５６を取付け座５３に取り付け、上枠４７の中央にはワイヤー掛け金５７を立設して成る。
「そして、おり本体１の上面に矩形枠３と協働して接合される支柱５８には、矩形枠３の上部より上方で左右に支持座５９を突設し、支持座５９にボルト６０を介して左側面視ムの字状のロック金具６１の上部を垂下反転自在に軸支し、図１（ｂ）に示すように、下方のヘ字状の二股部６２を開閉戸４５の上枠４７に被せるように位置取りし、支柱５８の下方には固定手段として、その中央で支柱５８の前面から所要位置に挿通孔を貫設した受け金６３を突設し、受け金６３の挿通孔には図６に示す固定金具６４の軸部６５を挿通し、軸部６５の上端でほぼＴ字状に接合する持ち手部６６の先端に設けた鉤部６７が、ロック金具６１のＶ字状の両側部材６８を接合する上部の横部材６９に係着され、ロック金具６１のバタツキが防止されて開閉戸４５が厳重に開放防止され、」さらには、ロック金具６１の右方の側部材６８の外側に張り出した止め金７０の貫通孔７１と、矩形枠３の上枠７２の前面で止め金７０と重なる位置で垂下した受け金７３の貫通孔とに錠を掛ければ、一層の開放防止が図られる。このほか、支柱５８の上部右方に張り出した半リング状の受け金７４には、ほぼＳ字状の吊下具７５がその上部の鉤部７６に係着されその下部の凹部７７にはワイヤー３８の誘導餌台との連係時に、図１（ａ）の仮想線で示す開閉戸４５の上昇端での上枠４７が係着され、ワイヤー３８が外れても開閉戸４５が吊下具７５に吊下される。ワイヤー３８のセットが完了すれば上枠４７から凹部７７を外す。
ロック金具６１について図５を参照して説明すると、支柱５８の両側面に張り出した支持座５９に係着できる幅で左右に配設される側部材６８は、下端を上方へ円弧状に折曲するとともに、対向幅をやや広く拡幅し、両者間を中間部と折曲始端において横部材６９で接合し、さらに、前記中間部と折曲部の下端間を、該下端より所要長さはね出す長さの補強部材７８で接合し、補強部材７８のはね出し部と折曲部との間にヘ字状の二股部６２を形成し、両側部材６８の上面に両横部材６９、６９間で重錘７９を接合し、上部下面に支柱５８の支持座５９に外接してボルト６０を挿通するボルト孔８０を貫設した取付け座８１を接合し、右方の側部材６８の外側には中間部で貫通孔７１を設けた止め金７０を横設して成る。
このようにして成るロック金具６１は、図４（ａ）に示すように、開閉戸４５が開口部２を閉塞した状態では支持座５９と取付け座８１を回動自在に接合するボルト６０を支軸として垂下状態となり、二股部６２で開閉戸４５の上枠４７を拘束して開放を阻止する。さらに、固定金具６４の軸部６５を支柱５８に突設した受け金６３の挿通孔に挿通しつつ持ち手部６６の鉤部６７を横部材６９に係着してロック金具６１の垂下状態を固定する。開閉戸４５を持ち上げて開口部２を開口し、熊などの動物を捕獲するときは、図４（ｂ）に示すようにロック金具６１をボルト６０の支軸を中心に上方へ反転させる。このときは、開閉戸４５を吊り上げたワイヤー３８と誘導餌台（図外）との連係完了まで、支柱５８の裏面で二股部６２に固定金具６４の軸部６５を係止するとともに、前述したように支柱５８の側面に係着した吊下具７５で開閉戸４５の上枠４７を吊下する。【０００７】  このようにして成る開閉戸構造ａは、図４（ｂ）に示すように、ロック金具６１を反転状態に持ち上げて固定金具６４でその姿勢を保持し、支柱５８の上部に軸支したローラー３９に案内されるワイヤー３８を、開閉戸４５の上枠４７に立設したワイヤー掛け金５７に係着して開閉戸４５を持ち上げると、下枠４６はその両端が案内筒４１に案内され、上枠４７の両端は案内座５１において摺動子４４に案内され、案内座５１が摺動子４４の頂部の吊下座４３に当接すると摺動子４４とともに上昇し、摺動子４４は案内筒４１の内周に案内されるが開口上端では摺動子４４が所要長さ分（前記案内座５１が摺動子４４に案内される長さ分）案内筒４１に係合された状態であるから、開閉戸４５は安定した状態で案内筒４１に保持される。
そして、ワイヤー３８の他端が誘導餌台（図外）に連係されると、開閉戸４５からは吊下具７５が外され、ロック金具６１からは固定金具６４が外されて捕獲準備が完了する。
熊などの動物が誘導餌台を作動させてワイヤー３８を解放すると開閉戸４５は自重で落下し、上枠４７が反転姿勢のロック金具６１を通過すると重錘７９によってロック金具６１はボルト６０を中心に前方へ回動して垂下状態となって開閉戸４５の開放防止がされる。
また、図１（ａ）に示すように、おり本体１が傾斜地に設置される場合は、おり本体１の左右両側部の前後端部の垂直部材８２と、垂直部材８２の一端部で水平に接合した水平部材８３と、各部材８２、８３にボルト挿通孔（図外）を複数個貫設して成る横転防止金具８４が該ボルト挿通孔を介しており本体１に接合され、水平設置が可能となり捕獲した熊が暴れても横転しない。
捕獲動物を取り出す場合や、おり本体１を飼育おりとして使用の場合は開閉戸構造ｂの何れか一方の案内筒４１側で抜け止め金具５６及び押え金４２除去すれば、案内筒４１から摺動子４４を抜き取りでき、その状態で上下の支持板４０から案内筒４１を抜き取れば、開閉戸４５は他方の案内筒４１を支軸として片開き戸として開閉できる。
【発明の効果】
【０００８】  本発明によれば、動物捕獲後の開閉戸がロック金具の二股部で開閉戸の上端部材を拘束するから開閉戸の開放が防止され、横転してもロック金具の重錘の作用で支軸を中心に反転し難く前記と同様に開放が防止される。
【図面の簡単な説明】
【図１】  本発明動物の捕獲用おりの開閉戸構造ｂの説明図で、（ａ）は正面図、（ｂ）は（ａ）の右側面図。
【図２】  図１の開閉戸４５の一部横断面図。
【図３】  図１の開閉戸４５の下部の横断面図。
【図４】  図１のロック金具６１の作動説明図で、（ａ）は垂下姿勢で固定金具６４により固定された状態を示し、（ｂ）は反転姿勢で固定金具６４により該姿勢が保持された状態を示す。
【図５】  図１のロック金具６１の斜視図。
【図６】  図１の固定金具６４の斜視図。
【符号の説明】
４０  支持板
４１  案内筒
４２  押え金
４３  吊下座
４４  摺動子
４５  開閉戸
４６  下枠
４７  上枠
４８  鉄棒
４９  横梁
５０  リング部
５１  案内座
５２  受け座
５３  取付け座
５４  垂直部
５５  抜け止め部
５６  抜け止め金具
５７  ワイヤー掛け金
５８  支柱
５９  支持座
６０  ボルト
６１  ロック金具
６２  二股部
６３  受け金
６４  固定金具
６５  軸部
６６  持ち手部
６７  鉤部
６８  側部材
６９  横部材
７０  止め金
７１  貫通孔
７２  上枠
７３  受け金
７４  受け金
７５  吊下具
７６  鉤部
７７  凹部
７８  補強部材
７９  重錘
８０  ボルト孔
８１  取付け座
８２  垂直部材
８３  水平部材
８４  横転防止金具
ａ  動物の捕獲用おりの開閉戸構造
【図１】
2005204674.tif 000003
【図２】
2005204674.tif 000004
【図３】
2005204674.tif 000005
【図４】
2005204674.tif 000006
【図５】
2005204674.tif 000007
【図６】
2005204674.tif 000008